(57)【要約】【課題】野菜室内の空気を減圧ポンプによって酸素富化膜を通して取り出し野菜室内の野菜等を減酸素雰囲気で保存して微生物、酵素の活性抑制、酸化抑制などにより、品質劣化を抑えて保存する冷蔵庫がある。しかし、野菜室内の空気が排出されることに伴って野菜室内が乾燥し、野菜等を瑞々しく保つ点で問題である。本発明は、酸素富化膜の特性により野菜等を減酸素雰囲気で保存して、野菜等の品質劣化を抑えると共に、野菜等を瑞々しく保つことができる保存方式を提供するものである。【解決手段】野菜容器内の空気を酸素富化膜を通して冷蔵庫外に吸引する吸引ポンプを設け、野菜容器内が過湿状態のとき野菜容器内から過剰な水分を吸収し、野菜容器内が低湿度状態のとき吸収した水分を野菜容器内に放出する作用をする調湿部材を設けたこと。【選択図】      図１
2004360948.tif 000002
【特許請求の範囲】
【請求項１】
冷却された野菜室内にこの野菜室の前方へ引き出し自在に野菜容器を設けた冷蔵庫において、前記野菜容器内の空気を酸素富化膜を通して冷蔵庫外に吸引する吸引ポンプを設け、前記野菜容器内が過湿状態のとき野菜容器内から過剰な水分を吸収し野菜容器内が低湿度状態のとき吸収した水分を野菜容器内に放出する作用をする調湿部材を設けたことを特徴とする冷蔵庫。
【請求項２】
間接冷却冷却される野菜室内にこの野菜室の前方へ引き出し自在な上面開口の野菜容器を設け、前記野菜室の上壁には前記野菜容器の上面開口に対向して酸素富化膜を設け、前記野菜容器内が過湿状態のとき野菜容器内から過剰な水分を吸収し野菜容器内が低湿度状態のとき吸収した水分を野菜容器内に放出する作用をする調湿部材を前記酸素富化膜を野菜容器側から覆うように前記野菜室の上壁に設け、前記野菜容器内の空気を前記調湿部材と酸素富化膜を通して冷蔵庫外に吸引する吸引ポンプを設けことを特徴とする冷蔵庫。
【請求項３】
上面開口の野菜容器を冷却された野菜室内に前方へ引き出し自在に設けた冷蔵庫において、前記野菜容器は前記野菜室内に収納された状態で前記上面開口が前記野菜室の上壁で塞がれて前記野菜容器内は前記野菜室の冷気によって間接冷却される構成であり、前記野菜室の上壁には、前記上面開口に対応して酸素富化膜と、前記野菜容器内が過湿状態のとき野菜容器内から過剰な水分を吸収し野菜容器内が低湿度状態のとき吸収した水分を野菜容器内に放出する作用をする調湿部材を設け、前記野菜容器内の空気を酸素富化膜を通して冷蔵庫外に吸引ポンプによって吸引することを特徴とする冷蔵庫。
【請求項４】
前記吸引ポンプを前記野菜室の前面扉が閉じたときから所定時間運転するようにしたことを特徴とする請求項１乃至３のいずれかに記載の冷蔵庫。
【請求項５】
前記吸引ポンプを前記野菜容器内の酸素濃度が所定の低酸素状態よりも高い酸素状態のとき運転するようにしたことを特徴とする請求項１乃至３のいずれかに記載の冷蔵庫。
【発明の詳細な説明】
【０００１】
【発明の属する技術分野】
本発明は、野菜室内に野菜等を収納する野菜容器を備えた冷蔵庫に関する。
【０００２】
【従来の技術】
前面開口の冷蔵庫本体内に冷蔵室とその下方に野菜室を形成し、野菜室には野菜室の前面開口を開閉する扉と共に引き出し自在に野菜容器が設けられ、冷却器で冷却した冷気を送風機によって前記冷蔵室へ供給し、冷蔵室と野菜室とを区画する密閉蓋を通して野菜室が冷却され、野菜室の後壁には酸素富化膜が設けられ、野菜室の空気を減圧ポンプによって酸素富化膜を通して冷蔵庫の背面に排出するものがある（例えば、特許文献１参照）。
【０００３】
特許文献１のものでは、減圧ポンプの運転によって、野菜室内の空気は酸素富化膜の特性により酸素が選択的に取り出され、野菜室内の野菜等は減酸素雰囲気で保存されるため、呼吸作用が抑制されて代謝活動が抑えられ、微生物、酵素の活性抑制、酸化抑制などにより、品質劣化が抑えられ、長期間新鮮に保存することができると記載されている。
【０００４】
【特許文献１】
特開平５‐２８８４６３号公報（Ｐ２、図１、図３）
【０００５】
【発明が解決しようとする課題】
上記のように、特許文献１のものでは酸素富化膜の特性により野菜室内を減酸素雰囲気として、野菜等の品質劣化を抑えて長期間新鮮に保存することに適するが、減圧ポンプの運転によって野菜室内の空気が排出されることに伴って野菜室内が乾燥することとなる。この乾燥は、野菜等を瑞々しく保つ点ではマイナスである。
【０００６】
本発明は、このような点に鑑みて、酸素富化膜の特性により野菜等を減酸素雰囲気で保存して、野菜等の品質劣化を抑えると共に、野菜等を瑞々しく保つことができる保存方式を提供するものである。
【０００７】
【課題を解決するための手段】
本発明の冷蔵庫は、冷却された野菜室内にこの野菜室の前方へ引き出し自在な野菜容器を設けた冷蔵庫において、前記野菜容器内の空気を酸素富化膜を通して冷蔵庫外に吸引する吸引ポンプを設け、前記野菜容器内が過湿状態のとき野菜容器内から過剰な水分を吸収し、野菜容器内が低湿度状態のとき吸収した水分を野菜容器内に放出する作用をする調湿部材を設けたことを特徴とする。
【０００８】
これによって、酸素富化膜の特性により野菜等を減酸素雰囲気で保存して、野菜等の品質劣化を抑えると共に、野菜等を瑞々しく保つことができることとなり、野菜等の長期保存に適した冷蔵庫となる。
【０００９】
また、本発明の冷蔵庫は、間接冷却冷却される野菜室内にこの野菜室の前方へ引き出し自在な上面開口の野菜容器を設け、前記野菜室の上壁には前記野菜容器の上面開口に対向して酸素富化膜を設け、前記野菜容器内が過湿状態のとき野菜容器内から過剰な水分を吸収し野菜容器内が低湿度状態のとき吸収した水分を野菜容器内に放出する作用をする調湿部材を前記酸素富化膜を野菜容器側から覆うように前記野菜室の上壁に設け、前記野菜容器内の空気を前記調湿部材と酸素富化膜を通して冷蔵庫外に吸引する吸引ポンプを設けことを特徴とする。
【００１０】
これによって、酸素富化膜の特性により野菜等を減酸素雰囲気で保存して、野菜等の品質劣化を抑えると共に、野菜等を瑞々しく保つことができることとなり、野菜等の長期保存に適した冷蔵庫となる。そして、調湿部材と酸素富化膜を野菜室の上壁に一対として設けることにより、野菜室を間接冷却する方式と、野菜室は冷気が流入するが野菜容器内が間接冷却される方式のいずれにも適用できることとなり、野菜容器を野菜室内に引き出し自在に収納するタイプの冷蔵庫に適用し易くなり、野菜の出し入れがし易い冷蔵庫を提供できることとなる。
【００１１】
本発明の冷蔵庫は、上面開口の野菜容器を冷却された野菜室内に前方へ引き出し自在に設けた冷蔵庫において、前記野菜容器は前記野菜室内に収納された状態で前記上面開口が前記野菜室の上壁で塞がれて前記野菜容器内は前記野菜室の冷気によって間接冷却される構成であり、前記野菜室の上壁には、前記上面開口に対応して酸素富化膜と、前記野菜容器内が過湿状態のとき野菜容器内から過剰な水分を吸収し野菜容器内が低湿度状態のとき吸収した水分を野菜容器内に放出する作用をする調湿部材を設け、前記野菜容器内の空気を酸素富化膜を通して冷蔵庫外に吸引ポンプによって吸引することを特徴とする。
【００１２】
これによって、酸素富化膜の特性により野菜等を減酸素雰囲気で保存して、野菜等の品質劣化を抑えると共に、野菜等を瑞々しく保つことができることとなり、野菜等の長期保存に適した冷蔵庫となる。そして、調湿部材と酸素富化膜を野菜室の上壁に設けることにより、野菜室は冷気が流入し循環するが野菜容器内は間接冷却される方式に採用することができ、野菜容器を野菜室内に引き出し自在に収納するタイプとして、野菜の出し入れがし易い冷蔵庫を提供できることとなる。
【００１３】
また、前記吸引ポンプの運転を、前記野菜室の前面扉が閉じたときから所定時間運転するようにするか、前記野菜容器内の酸素が所定の低酸素状態よりも高い酸素状態のとき運転するようにしたことを特徴とする。これによって、野菜容器内の空気の余分な排出が防止でき、野菜等の乾燥を抑制でき、野菜等の瑞々しさを維持できるものとなる。
【００１４】
【発明の実施の形態】
次に、本発明の冷蔵庫について説明する。図１乃至図４は本発明の冷蔵庫の実施形態を示しており、図１は冷蔵庫の縦断側面図、図２は酸素富化膜と調湿部材を備えた野菜室の部分拡大図、図３は酸素富化膜と調湿部材を備えた野菜室の他の形態を示す部分拡大図、図４は野菜室へ冷気が循環するタイプの冷蔵庫の野菜室部分の断面図である。
【００１５】
先ず図１と図２において、１は冷却貯蔵庫の一つである蔵庫であり、全面開口の本体２内を区画して複数の貯蔵室を形成し、これら各貯蔵室の前面は扉で開閉できる構成である。冷蔵庫本体２は、外箱（外壁板）２Ａと内箱（内壁板）２Ｂとの間に発泡断熱材２Ｃを充填した断熱構造である。冷蔵庫本体２内には、上から冷蔵室３、野菜室４、上冷凍室５、下冷凍室６が区画して設けられ、冷蔵室３内の底部にはその上方の冷蔵室３と区画板（区画壁）８にて区画された特定低温室９が設けられている。特定低温室９には前方へ引き出し自在に食品貯蔵容器９Ａが収納されている。上冷凍室５は冷気量調節装置を手動操作して冷蔵室とすることもできるので、切り替え室と称することもできる。
【００１６】
冷蔵室３の前面開口は、冷蔵庫本体２の一側部にヒンジ装置にて横方向に回動して開閉される回動式の冷蔵室扉１０にて閉塞される。冷蔵室３と野菜室４との間の仕切り５０は、前部が断熱仕切り構造であり、その後側は冷蔵室３の底板５１の下方に野菜室４の上壁５２が底板５１と間隔を存して設けられた構成である。底板５１の前部には冷蔵室３の冷気吸い込み口５３が形成されており、冷気吸い込み口５３から流入した冷気は、底板５１と上壁５２の間隔を冷気通路５４として後方へ流れる。冷気通路５４の冷気によって上壁５２が冷却され、この上壁５２からの放射冷却作用によって野菜室４が間接冷却され、後述の野菜容器１５内が間接冷却される。
【００１７】
野菜室４の前面開口は、野菜室４内に設けた左右のレール又はローラ装置３８によって前後方向へ引き出し収納自在に支持された野菜容器１５と共に前後方向へ可動の引き出し式前面扉１１にて閉塞されている。引き出し式前面扉１１の裏面周縁にはパッキン１１Ａが取り付けられており、このパッキン１１Ａが冷蔵庫本体２の前面開口周縁に密着して、引き出し式前面扉１１と冷蔵庫本体２との間を気密に保つ。上冷凍室５と下冷凍室６はそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。
【００１８】
野菜容器１５の上面開口は、上壁５２と若干の間隔を存して対峙しており、上壁５２からの放射冷却作用によって野菜容器１５内が冷却される。このため上壁５２をアルミニウム等のように熱伝導良好な金属製とすることにより、野菜容器１５内の冷却を良好にすることができる。
【００１９】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷凍冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５及び下冷凍室６へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。
【００２０】
第２蒸発器（冷却器）３０で冷却された冷気は、第２送風機３２によって冷蔵室上部冷気供給通路３５Ａと冷蔵室背部冷気供給通路３５Ｂを通ってそれぞれ対応する冷気吹き出し口３６、３９から冷蔵室３へ供給され、冷気吸い込み口５３から冷気通路５４を通って再び第２蒸発器（冷却器）３０へ帰還する循環をする。この循環は矢印で示す。また、第１蒸発器（冷却器）２９で冷却した冷気は、第１送風機３１によって矢印のように循環して上冷凍室５と下冷凍室６を所定温度に冷却する。
【００２１】
このような構成において、各室の温度は、冷蔵室３が約３〜４℃、野菜室４及び野菜容器１５内が約４〜６℃に保たれ、上冷凍室８と下冷凍室９が約−１８℃〜−２０℃である。また、冷蔵室扉１０の内側に設けた貯蔵棚３７上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。
【００２２】
４０は酸素富化膜であり、野菜容器１５の上面開口と対向した位置で野菜室４の上壁５２に取り付けられている。酸素富化膜４０は、野菜室４の上壁５２の下側に設けるか、又は上壁５２と一体化した状態で設けることができる。４１はパイプ４２を通して吸引した空気を排出する吸引ポンプである。酸素富化膜４０は、高分子材料から構成されて窒素よりも酸素の透過性がよい薄膜である。吸引ポンプ４１の運転により、酸素富化膜４０のパイプ４２側が低圧となって、野菜容器１５内の空気が酸素富化膜４０に吸引され、酸素富化膜４０の原理によって、空気中の主たる成分である窒素と酸素のうちの酸素が選択的にパイプ４２へ取り出され、排出孔４３から冷蔵庫１の背面側へ排出される作用をする。
【００２３】
６０は調湿部材であり、保湿膜、透湿膜、調湿膜等とも呼ばれる。調湿部材６０は、酸素富化膜４０よりも野菜容器１５内側に位置するように、酸素富化膜４０を覆って上壁５２の下側に設けられている。調湿部材６０は、野菜容器１５内が過湿状態のとき野菜容器１５内から過剰な水分を吸収し、野菜容器１５内が低湿度状態のとき吸収した水分を野菜容器１５内に放出する作用をすることにより、野菜容器１５内の湿度を調節して野菜容器１５内を適度の湿度状態に保つ作用をする。
【００２４】
このような構成において、引き出し式前面扉１１が閉じている状態において、吸引ポンプ４１が運転されると、野菜容器１５内の空気が調湿部材６０を通して酸素富化膜４０に吸引され、酸素富化膜４０の原理によって、空気中の主たる成分である窒素と酸素のうちの酸素が選択的にパイプ４２へ取り出され、排出孔４３から冷蔵庫１の背面側へ排出される。これによって、野菜容器１５内は窒素リッチ、即ち酸素量が減少した低酸素状態となり、野菜容器１５内の野菜等の呼吸作用が抑制される。このため、野菜等の劣化防止効果が得られ、野菜を新鮮な状態で保存できる期間が延びることとなる。
【００２５】
この場合、調湿部材６０が存在しない場合には、吸引ポンプ４１の運転により、野菜容器１５内の空気が酸素富化膜４０に吸引され排出されることに伴って野菜容器１５内の水分も排出されて野菜容器１５内の野菜等が乾燥する虞があるが、本発明では、調湿部材６０の存在によって、野菜容器１５内が過湿状態のとき野菜容器１５内から過剰な水分を吸収し、野菜容器１５内が低湿度状態のとき吸収した水分を野菜容器１５内に放出する作用をすることにより、野菜容器１５内の湿度を調節して野菜容器１５内を適度の湿度状態に保つ作用をする。
【００２６】
このように、調湿部材６０によって野菜容器１５内の湿度を調節して野菜容器１５内を適度の湿度状態に保ち、酸素富化膜４０によって野菜等の劣化を抑制するため、野菜を新鮮な状態で保存することができる期間を、より長くできることとなる。そして、排出孔４３から冷蔵庫１の背面側へ排出される酸素によって、冷蔵庫１周辺の酸素を増やすことにも繋がる。
【００２７】
なお、調湿部材６０は、上記のような湿度調節作用を保ちつつ空気流通も行える構成であれば好ましいが、調湿部材６０を通過する空気流通が悪い場合には、調湿部材６０に複数の小孔を明ける等の構成によって、それをカバーすることもできる。
【００２８】
なお、上記では調湿部材６０が酸素富化膜４０よりも野菜容器１５内側に位置するように、野菜容器１５の上面開口と対向した位置で酸素富化膜４０を覆って上壁５２の下側に設けられているが、この構成に拘束されず、図３のように、上壁５２の下側に調湿部材６０を取り付け、この調湿部材６０から離れた位置で上壁５２に酸素富化膜４０を取り付け、野菜容器１５内の空気を酸素富化膜４０を通してパイプ４２から吸引し、調湿部材６０によって野菜容器１５内の湿度を調節するようにしてもよい。この場合、調湿部材６０に対応して上壁５２に小さな透孔５５を形成してもよい。また調湿部材６０を野菜容器１５の左右前後の壁のいずれかの内側に取り付けた構成でもよい。
【００２９】
６５は冷蔵庫１の制御を司る電子部品を基板に取り付けた制御回路装置であり、蓋６６によって覆われている。ポンプ４１は、野菜室４の引き出し式前面扉１１を開いて閉じたときから一定時間運転するように構成してもよい。また、野菜室４の酸素濃度を検知素子で検知して、所定の低酸素状態よりも高い酸素濃度状態では制御回路装置６５によってポンプ４１を運転し、所定の低酸素状態に低下したときポンプ４１を停止する制御することもできる。また、制御回路装置６５のタイマー機能によって、ポンプ４１を一定時間間隔で運転する方式でもよい。
【００３０】
上記の実施形態では、酸素富化膜４０と調湿部材６０とを上壁５２に取り付けたが、野菜室４の壁に取り付けた構成でもよく、野菜室４の背面側か側面側に配置した構成でもよい。
【００３１】
また、上記の構成は、冷気通路５４の冷気が野菜室４内へ循環しないように野菜室４が上壁５２によって仕切られた間接冷却方式であるが、野菜室４内へは冷気通路５４の冷気が循環するが、野菜容器１５内は野菜室４の冷気で周囲から冷却される間接冷却方式とすることもできる。
【００３２】
この方式の一つの形態として、図４に示すように、上壁５２には上方へ窪んだ窪み部５２Ａ内に酸素富化膜４０が配置され、この窪み部５２Ａの下面開口を塞ぐように調湿部材６０が設けられている。上壁５２は前部が高く後部が低くなるように傾斜して配置されており、野菜容器１５の上面開口もこの傾斜に沿うように傾斜している。野菜容器１５の上面開口周縁にはパッキン１５Ａが設けられており、野菜容器１５が野菜室４内へ押し込み収納された状態で、野菜容器１５の上面開口のパッキン１５Ａが上壁５２に当接して、野菜容器１５の上面開口が塞がれる。
【００３３】
なお、パッキン１５Ａに代わって、上壁５２の下面に比較的幅広にパッキンを設けておき、野菜容器１５が野菜室４内へ押し込み収納された状態で、野菜容器１５の上面開口周縁がこの幅広パッキンに当接することによって、野菜容器１５の上面開口が閉塞されるように構成したものでもよい。
【００３４】
そして、冷気通路５４の冷気の一部は仕切り５０と上壁５２との間を通って野菜室４内へ矢印のように流入し、野菜容器１５の周辺を流れた後、上壁５２の後部から冷気通路５４の後部へ流出して第２蒸発器（冷却器）３０へ帰還する循環をする。なお、図４において図１乃至図３と同符合部分は、図１乃至図３の部分と同様の機能部分を表す。
【００３５】
この図４の場合も酸素富化膜４０と調湿部材６０とを図３のように配置する構成とすることもできる。このように図２乃至図４の構成では、酸素富化膜４０と調湿部材６０とが野菜容器１５の上面開口に対応した位置で上壁５２に取り付けられているため、酸素富化膜４０と吸引ポンプ４１の作用によって野菜容器１５内の酸素量は減少状態となると共に、調湿部材６０によって野菜容器１５内の湿度調節が行われる。
【００３６】
なお、野菜容器１５内は野菜容器１５の周囲から冷却する間接冷却方式であるが、野菜容器１５内の冷却不足が生じる虞がある場合や、野菜容器１５内の露付きを現象させる場合には、酸素富化膜４０による効果は減少するが、この間接冷却方式を維持しつつ冷気通路５４または野菜室４の冷気の微量が野菜室４内に流入するようにすることもできる。
【００３７】
上記の各実施形態では、酸素富化膜４０と調湿部材６０とを野菜容器１５の上面開口に対応した位置で上壁５２に取り付けている。このため、酸素富化膜４０と調湿部材６０を野菜室４の背壁の窪みに取り付ける構成に比して、酸素富化膜４０と調湿部材６０を予め取り付けた上壁５２を冷蔵庫１の内箱（内壁板）２Ｂへ組み込みできる構成とすることも可能であるため、組立てがし易い冷蔵庫の提供も可能である。この場合、パイプ４２は酸素富化膜４０に連通するように予め取り付けておき、上壁５２を冷蔵庫１の内箱（内壁板）２Ｂへ組み込む際に外箱（外壁板）２Ａに取り付けられる吸引ポンプ４１の入口側へ接続すればよい。更に組立てし易くするためには、吸引ポンプ４１も上壁５２に予め取り付けておき、吸引ポンプ４１の出口パイプを冷蔵庫１の背面に開口させた構成とすればよい。
【００３８】
なお、野菜容器１５が引き出し式前面扉１１と連動して引き出される方式とせず、野菜室４の前面開口を左右へ開閉する開き扉方式とし、野菜容器１５はその扉を開いた状態で引き出される方式とするタイプでもよい。
【００３９】
本発明は上記実施形態に限定されるものではなく、特許請求の範囲を逸脱しない範囲で種々の実施形態を包含するものである。
【００４０】
【発明の効果】
本発明によれば、酸素富化膜の特性により野菜等を減酸素雰囲気で保存して、野菜等の品質劣化を抑えると共に、野菜等を瑞々しく保つことができることとなり、野菜等の長期保存に適した冷蔵庫となる。
【００４１】
請求項２の発明によれば、上記効果に加えて、調湿部材と酸素富化膜を野菜室の上壁に設けることにより、野菜室を間接冷却する方式と、野菜室は冷気が循環するが野菜容器内は間接冷却される方式のいずれにも適用できることとなり、野菜容器を野菜室内に引き出し自在に収納するタイプの冷蔵庫に適用し易くなり、野菜の出し入れがし易い冷蔵庫を提供できることとなる。また、酸素富化膜と調湿部材を予め取り付けた上壁を冷蔵庫へ組み込みできる構成とすることも可能であるため、組立てがし易い構成にできる。
【００４２】
請求項３の発明によれば、酸素富化膜の特性により野菜等を減酸素雰囲気で保存して、野菜等の品質劣化を抑えると共に、野菜等を瑞々しく保つことができることとなり、野菜等の長期保存に適した冷蔵庫となる。そして、調湿部材と酸素富化膜を野菜室の上壁に設けることにより、野菜室は冷気が流入し循環するが野菜容器内は間接冷却される方式に採用することができ、野菜容器を野菜室内に引き出し自在に収納するタイプとして、野菜の出し入れがし易い冷蔵庫を提供できることとなる。また、酸素富化膜と調湿部材を予め取り付けた上壁を冷蔵庫へ組み込みできる構成とすることも可能であるため、組立てがし易い冷蔵庫の提供も可能である。
【００４３】
請求項４並びに５の発明によれば、上記効果に加えて、野菜容器内の空気の余分な排出が防止でき、野菜等の乾燥を抑制でき、野菜等の瑞々しさを維持できるものとなる。
【図面の簡単な説明】
【図１】本発明冷蔵庫の縦断側面図である。
【図２】本発明冷蔵庫の酸素富化膜と調湿部材を備えた野菜室の部分拡大図である。
【図３】本発明冷蔵庫の酸素富化膜と調湿部材を備えた野菜室の他の形態を示す部分拡大図である。
【図４】本発明冷蔵庫の野菜室へ冷気が循環するタイプの冷蔵庫の野菜室部分の断面図である。
【符号の説明】
１……冷蔵庫
２……冷蔵庫本体
３……冷蔵室
４……野菜室
１５……野菜容器
３０……冷却器
３２……送風機
４０……酸素富化膜
４１……吸引ポンプ
４２……パイプ
４３……排出孔
５２……野菜室の上壁
５４……冷気通路
６０……調湿部材
【図１】
2004360948.tif 000003
【図２】
2004360948.tif 000004
【図３】
2004360948.tif 000005
【図４】
2004360948.tif 000006